(57)【要約】      （修正有）【課題】重要度の低い情報を削除して容量を確保しつつ、必要に応じて情報を参照することが可能な情報管理装置を実現する。【解決手段】複数の項目と、項目の内容を段階的に削除する期限を項目ごとに決定するための情報である削除情報とを含む電子情報を記憶する記憶部３０と、現在の時刻を示す現在時刻情報を取得する時計部５０と、上記項目の削除情報から、当該項目を削除する削除時刻を算出する削除時刻算出部と、上記削除時刻と上記現在時刻とを比較して、当該項目の削除時刻を経過しているか否かを判断する経過時間比較部と、経過時間比較部の判断結果に基づいて、上記削除時刻の順に項目を削除する記事削除部４２とを備える。【選択図】図１
2009025978.tif 000002
【特許請求の範囲】
【請求項１】
複数の項目と、項目の内容を段階的に削除する期限を項目ごとに決定するための情報である削除情報とを含む電子情報を記憶する記憶部と、
現在の時刻を示す現在時刻情報を取得する現在時刻取得手段と、
上記項目の削除情報から、当該項目を削除する削除時刻を算出する削除時刻算出手段と、
上記削除時刻と上記現在時刻とを比較して、当該項目の削除時刻を経過しているか否かを判断する削除判断手段と、
上記削除判断手段の判断結果に基づいて、上記削除時刻の順に項目を削除する削除手段とを備えることを特徴とする情報管理装置。
【請求項２】
上記削除情報は、当該削除情報が示す項目を削除する時刻を示す削除時刻情報であることを特徴とする請求項１に記載の情報管理装置。
【請求項３】
上記削除情報は、当該削除情報が示す項目を削除する順番を示す削除順序情報であり、
上記削除時刻算出手段は、上記削除順序情報と各項目を削除する間隔を示す時間情報である削除間隔情報とに基づいて各項目の削除時刻を算出することを特徴とする請求項１に記載の情報管理装置。
【請求項４】
上記削除手段は、所定のタイミングで上記経過時間の算出および項目の内容の削除を実行することを特徴とする請求項１から３のいずれか１項に記載の情報管理装置。
【請求項５】
上記電子情報は、個々の電子情報を識別するための識別情報を含むことを特徴とする請求項１から４のいずれか１項に記載の情報管理装置。
【請求項６】
上記情報管理装置は、外部から電子情報を受信する通信手段をさらに備え、
上記通信手段は、削除された項目の内容を、上記識別情報を送信することで外部から受信することを特徴とする請求項５に記載の情報管理装置。
【請求項７】
上記項目の内容が保存されているか否かを項目ごとに示す保存情報を表示する保存情報表示手段を備えることを特徴とする請求項５または６に記載の情報管理装置。
【請求項８】
上記保存情報表示手段は、上記保存情報を、識別情報と関連づけて表示することを特徴とする請求項７に記載の情報管理装置。
【請求項９】
上記保存情報表示手段は、上記保存情報を、上記項目の内容の一部と関連づけて表示することを特徴とする請求項７に記載の情報管理装置。
【請求項１０】
上記保存情報表示手段は、上記保存情報としてアイコンを用いることを特徴とする請求項７から９のいずれか１項に記載の情報管理装置。
【請求項１１】
請求項４から１０のいずれか１項に記載の情報管理装置に対して、上記電子情報を送信する情報配信サーバであって、
上記電子情報を記憶する記憶部と、
上記電子情報を情報管理装置に対して送信する送信手段を備え、
上記送信手段は、情報管理装置から送信された識別情報に対応する電子情報を情報管理装置へ送信することを特徴とする情報配信サーバ。
【請求項１２】
上記電子情報には、設定時刻情報が設定されていることを特徴とする請求項１１に記載の情報配信サーバ。
【請求項１３】
上記電子情報に含まれる各項目に対する優先度情報を電子情報に設定する優先度設定手段をさらに備えることを特徴とする請求項１１または１２に記載の情報配信サーバ。
【請求項１４】
請求項１から１０のいずれか１項に記載の情報管理装置と、請求項１１から１３のいずれか１項に記載の情報配信サーバとを備える情報配信システム。
【請求項１５】
記憶部に記憶された、複数の項目と、項目の内容を段階的に削除する期限を項目ごとに決定するための情報である削除情報を含む電子情報を管理するための情報管理方法であって、
現在の時刻を示す現在時刻情報を取得する現在時刻取得ステップと、
上記項目の削除情報から、当該項目を削除する削除時刻を算出する削除時刻算出ステップと、
上記削除時刻と上記現在時刻とを比較して、当該項目の削除時刻を経過しているか否かを判断する削除判断ステップと、
上記削除判断ステップにおける判断結果に基づいて、上記削除時刻の順に項目を削除する削除ステップとを備えることを特徴とする情報管理方法。
【請求項１６】
請求項１から１０のいずれか１項に記載の情報管理装置を動作させるためのプログラムであって、コンピュータを上記の各手段として機能させるための情報管理プログラム。
【請求項１７】
請求項１６に記載の情報管理プログラムが記録されたコンピュータ読み取り可能な記録媒体。
【発明の詳細な説明】
【技術分野】
【０００１】
本発明は、電子情報を管理する情報報管理装置、情報配信サーバ、情報配信システム、情報管理方法、情報管理プログラム、および記録媒体に関するものである。より具体的には、電子新聞や電子雑誌など発行時刻の情報を含む各種記事の閲覧、蓄積、廃棄、およびその他の管理を行う情報管理装置などに関する。
【背景技術】
【０００２】
近年、電子新聞や電子雑誌などの電子情報の配信サービスが増えてきている。利用者が電子情報の閲覧に使用する端末のメモリ容量には限りがあるため、電子情報の受信者は必要な情報を選択して残し、不要な情報は廃棄している。
【０００３】
記事の廃棄の方法として、利用者が直接電子情報を選択して廃棄する方法や、記憶容量が不足した場合に古いものから順に自動的に廃棄する方法、利用者によってチェックされたもの以外を廃棄する方法、キーワードを含むまたは含まない記事を廃棄するといった方法などが考えられる。
【０００４】
特許文献１では、管理装置の記憶装置の容量を節約して、効率よくイメージデータを管理するイメージデータ管理装置が開示されている。
【０００５】
具体的には、イメージデータ及び当該イメージデータの属性情報を記憶する記憶手段と、イメージデータが記憶手段から読み出された場合に読み出されたイメージデータに関する属性情報を更新する更新手段とを備え、所定のタイミングでイメージデータに関する属性情報を記憶手段から読み出し、読み出された属性情報が所定の設定条件を満たす場合に、当該属性情報のイメージデータを縮小する縮小処理又は当該属性情報のイメージデータの解像度を低下させる解像度低下処理の少なくとも一方の処理を実行している。
【０００６】
上記の縮小または解像度低下処理の少なくとも一方の実行により得られるイメージデータを、縮小または解像度低下処理の少なくとも一方の実行前のイメージデータに代えて記憶手段に書き込む書き込み手段とを具備することにより実現している。
【０００７】
特許文献２では、データを良好に処理する情報処理装置が開示されている。具体的には、記録再生装置のＣＰＵは、コンテンツを取得してＨＤＤに記憶させる処理をする。ＨＤＤに記憶したコンテンツのうち削除するコンテンツを特定すると、コンテンツの一部を抽出してダイジェストを生成し、ＨＤＤに記憶させる。ＣＰＵは、削除するコンテンツとして特定したコンテンツを削除する。ＨＤＤに記憶されたコンテンツを削除した後も、コンテンツに対応するダイジェストをＨＤＤに記憶しているため、利用者はコンテンツの概要を把握できる。コンテンツを削除する際にダイジェストを生成するので、ダイジェストが膨大に増えず、ＨＤＤの空き容量を良好に確保している。
【０００８】
特許文献３では、情報量を極力削減して保存できる情報表示端末が開示されている。ホスト局に設置されたホストサーバから、各家庭やビルに設置された中継サーバに配信されて、その後、表示端末上に電子新聞情報が表示される。上記表示端末では、表示された情報を中継サーバ又は自己の記憶装置に保存する際、保存する情報の量を優先度に基づいて削減する。新聞記事には、タグ情報、文字情報、画像情報、割付け情報等の種類があり、これらの種類に応じて優先度を設定している。
【特許文献１】特開平１１−１８４８８９号公報（１９９９年７月９日公開）
【特許文献２】特開２００６−１６３７４６号公報（２００６年６月２２日公開）
【特許文献３】特開２００１−２８２６６８号公報（２００１年１０月１２日公開）
【発明の開示】
【発明が解決しようとする課題】
【０００９】
しかしながら、上記従来の構成では、データの重要度に基づいた削除方法の決定が難しいという問題を生じる。
【００１０】
従来は、電子新聞や電子雑誌などを廃棄する際に、記事の実体データそのものを廃棄していたため、一度廃棄されると再び閲覧することが不可能になっていた。また、過去にどのような記事があったのか分からなくなっていた。
【００１１】
本発明は、上記の問題点に鑑みてなされたものであり、その目的は、古くなった情報を削除して容量を確保しつつ、必要に応じて削除されていない情報を参照することが可能な情報管理装置、情報配信サーバ、情報配信システム、情報管理方法、情報管理プログラム、および記憶媒体を実現することにある。
【課題を解決するための手段】
【００１２】
本発明の情報管理装置は、複数の項目と、項目の内容を段階的に削除する期限を項目ごとに決定するための情報である削除情報を含む電子情報を記憶する記憶部と、現在の時刻を示す現在時刻情報を取得する現在時刻取得手段と、上記項目の削除情報から、当該項目を削除する削除時刻を算出する削除時刻算出手段と、上記削除時刻と上記現在時刻とを比較して、当該項目の削除時刻を経過しているか否かを判断する削除判断手段と、上記削除判断手段の判断結果に基づいて、上記削除時刻の順に項目を削除する削除手段とを備えることを特徴としている。
【００１３】
また、本発明の情報管理方法は、記憶部に記憶された、複数の項目と、項目の内容を段階的に削除する期限を項目ごとに決定するための情報である削除情報を含む電子情報を管理するための情報管理方法であって、現在の時刻を示す現在時刻情報を取得する現在時刻取得ステップと、上記項目の削除情報から、当該項目を削除する削除時刻を算出する削除時刻算出ステップと、上記削除時刻と上記現在時刻とを比較して、当該項目の削除時刻を経過しているか否かを判断する削除判断ステップと、上記削除判断ステップにおける判断結果に基づいて、上記削除時刻の順に項目を削除する削除ステップとを備えることを特徴としている。
【００１４】
上記の構成によれば、電子情報の各項目に設定された削除情報から削除時刻を算出し、現在時刻情報とを比較することで、複数の項目からいずれかの項目の内容を所定の優先度に基づいて削除することができるので、古くなり重要度の低くなった内容を削除して容量を確保しつつ、削除されておらず、保存されている内容を必要に応じて参照することが可能な情報管理装置および情報管理方法を実現することができる。
【００１５】
上記の情報管理装置では、上記削除情報は、当該削除情報が含まれる項目を削除する時刻を示す削除時刻情報であることが好ましい。
【００１６】
上記の構成によれば、絶対時刻または相対時刻を用いて項目を削除する時刻を設定することができるので、所望の時刻に項目を順に削除してゆくように電子情報を設定することができる。
【００１７】
上記の情報管理装置では、上記削除情報は、当該削除情報が含まれる項目を削除する順番を示す削除順序情報であり、上記削除時刻算出手段は、上記削除順序情報と各項目を削除する間隔を示す時間情報である削除間隔情報とに基づいて削除時刻を算出することが好ましい。
【００１８】
上記の構成によれば、各項目に削除時刻を設定することなく、所定の順序および期間で項目を順に削除してゆくように電子情報を設定することができる。
【００１９】
上記の情報管理装置では、上記削除手段は、所定のタイミングで上記経過時間の算出および項目の内容の削除を実行してもよい。
【００２０】
上記の構成によれば、所定のタイミング、具体例をあげると例えば、所定の時刻、装置の起動や終了をおこなったとき、ユーザの指示があったとき、記憶容量が少なくなったときなどに削除の判定を行い、削除処理を実行するので、任意のタイミングで保存している電子情報のサイズを削減し、重要度の低くなった記事を削除して記憶容量の空きサイズを保つことができる。
【００２１】
上記の情報管理装置では、上記電子情報は、個々の電子情報を識別するための識別情報を含んでいてもよい。
【００２２】
また、上記情報管理装置は、外部から電子情報を受信する通信手段をさらに備え、上記通信手段は、削除された項目の内容を、上記識別情報を送信することで外部から受信してもよい。
【００２３】
上記の構成によれば、時間の経過によって重要度が低くなった記事の項目の一部を削除しても、残されている識別情報に基づいて削除された電子記事を特定し、削除した項目の内容情報を外部から再度取得し、参照することができる。
【００２４】
上記の情報管理装置では、上記項目の内容が保存されているか否かを項目ごとに示す保存情報を表示する保存情報表示手段を備えることが好ましい。
【００２５】
また、上記の情報管理装置では、上記保存情報表示手段は、上記保存情報を、識別情報と関連づけて表示してもよい。
【００２６】
また、上記の情報管理装置では、上記保存情報表示手段は、上記保存情報を、上記項目の内容の一部と共に表示してもよい。
【００２７】
また、上記表示手段は、上記削除情報としてアイコンを用いてもよい。
【００２８】
上記の構成によれば、電子情報の一覧と共に内容情報の有無を表示手段に表示することでユーザに提示するので、ユーザは内容情報の保存状態を把握することができる。アイコンで内容情報の保存状態を提示すれば、さらに分かり易く、ユーザは一目で内容情報の保存状態を把握することができる。
【００２９】
本発明の情報配信サーバは、上述の情報管理装置に対して、上記電子情報を送信する情報配信サーバであって、上記電子情報を記憶する記憶部と、上記電子情報を情報管理装置に対して送信する送信手段を備え、上記送信手段は、情報管理装置から送信された識別情報に対応する電子情報を情報管理装置へ送信することを特徴としている。
【００３０】
また、上記電子情報には、設定時刻情報が設定されていることが好ましい。
【００３１】
また、上記電子情報に含まれる各項目に対する優先度情報を電子情報に設定する優先度設定手段をさらに備えてもよい。
【００３２】
上記の構成によれば、識別情報に基づいて、上述の情報管理装置に対して外部から電子情報を配信することができる。また、時刻情報や優先度情報を設定した電子情報を配信することで、記事の削除を配信側で設定した情報に基づいて行わせることができる。
【００３３】
上述の情報管理装置と、情報配信サーバとを備えることによって、情報配信システムを構成することができる。
【００３４】
なお、上記情報管理装置は、コンピュータによって実現してもよく、この場合には、コンピュータを上記各手段として動作させることにより上記情報管理装置をコンピュータにて実現させる情報管理装置の制御プログラム、およびそれを記録したコンピュータ読み取り可能な記録媒体も、本発明の範疇に入る。
【発明の効果】
【００３５】
本発明に係る情報管理装置は、以上のように、複数の項目と、項目の内容を段階的に削除する期限を項目後とに決定するための情報である削除情報を含む電子情報を記憶する記憶部と、現在の時刻を示す現在時刻情報を取得する現在時刻取得手段と、上記項目の削除情報から、当該項目を削除する削除時刻を算出する削除時刻算出手段と、上記削除時刻と上記現在時刻とを比較して、当該項目の削除時刻を経過しているか否かを判断する削除判断手段と、上記削除時刻の順に項目を削除する削除手段とを備えているので、電子情報の時間経過を考慮し、複数の項目からいずれかの項目の内容を所定の優先度情報に基づいて削除することができるので、古くなり重要度の低くなった内容を削除して容量を確保しつつ、削除されておらず、保存されている内容を必要に応じて参照することが可能であるという効果を奏する。
【発明を実施するための最良の形態】
【００３６】
本発明の一実施形態について図１から図１２に基づいて説明すると以下の通りである。なお、以下の実施形態では、電子情報として電子新聞の記事を例にあげて説明するが、これに限るものではない。週刊誌などの電子雑誌や、電子日誌、電子ニュース、およびその他の電子文書であってもよい。複数の項目と、項目の内容を削除する順序を示す優先度情報を含む電子情報であれば、どのようなデータであってもよい。
【００３７】
図１は、本実施形態における情報配信システムの要部構成を示す機能ブロック図である。以下、図１を参照して、情報管理装置１０および情報配信サーバ６０の各部の機能について説明する。
【００３８】
情報配信システム１は、情報管理装置１０および情報配信サーバ６０を備えている。
【００３９】
情報管理装置１０は、記憶部（記憶手段）３０、制御部４０、時計部（現在時刻取得手段）５０、通信Ｉ／Ｆ５２、操作部５４、および表示部（表示手段）５６を備えている。記憶部３０は、さらに、基本情報記憶部３１、記事情報記憶部３２、付加情報記憶部３３、優先度情報記憶部３４、およびアイコン情報記憶部３５を備えている。制御部４０は、さらに、記録制御部４１、記事削除部（削除手段）４２、付加情報編集部４３、日時判定部（経過判断手段）４４、優先度判定部４５、アイコン表示部４６、記事表示部４７、操作制御部４８、通信制御部４９を備えている。
【００４０】
記憶部３０は、半導体メモリや各種記録媒体などで構成された書き換え可能な記憶装置であり、電子情報を初めとする各種情報が記録される。基本情報記憶部３１は、電子情報全体に含まれる情報のうち、識別情報や、発行日などの時刻情報、配信者などといった基本的な情報を記憶する。記事情報記憶部３２は、電子情報である記事の本文や画像などの記事の内容が記録される。付加情報記憶部３３は、電子情報全体に含まれる情報のうち、削除情報や既読情報などの付加的な情報が記録される。優先度情報記憶部３４は、情報配信サーバ６０から配信された、各項目の削除優先度や、ユーザによって設定された優先度情報が記録される。アイコン情報記憶部３５には、記事の各項目の内容が保存されているか、削除されているかを示すアイコンの画像データが記録される。
【００４１】
なお、上記の各記憶部は、一つの記憶装置を複数の記憶領域に区切ることで実現してもよいし、記憶する容量などに基づいてそれぞれ別の記憶装置を用いてもよい。また、優先度情報やアイコン情報は、記事情報や付加情報に含めてもよい。記憶部３０の各部に記憶される情報の詳細については、後述する。
【００４２】
制御部４０は、情報管理装置１０の各部を制御し、各部間の情報のやり取りを制御する。制御部４０は、ＣＰＵ（Central Processing Unit）を用いて構成し、プログラムによって機能を実現してもよいし、各制御部の機能を実現する回路やチップなどを用いて構成してもよい。
【００４３】
記録制御部４１は、記憶部３０へ記録する各種情報の書き込み・読み出しの制御を行う。記事削除部４２は、日時や優先度などに基づいて記憶部３０に記録されている記事の価値を判断し、不要になった項目の一部の内容を削除する。付加情報編集部４３は、各記事の内容が参照や閲覧された際などに、未読／既読を示すフラグ情報などを管理し、記憶部３０の付加情報記憶部３３に記録を行う。
【００４４】
日時判定部４４は、時計部５０および記憶部３０の基本情報記憶部３１を参照して、保存されている記事情報に設定されている発行日などの時刻情報から現在時刻まで、どれだけ時間が経過しているかを示す経過情報の算出を行う。なお、時計部５０は、情報管理装置１０に内蔵されたタイマーであってもよいし、ネットワークを介して外部のサーバから時間情報を取得する構成であってもよい。優先度判定部４５は、優先度情報記憶部３４を参照して、記憶部３０に記憶されている記事情報の項目うち、優先度の低い項目の内容から削除していくよう、記事削除部４２に指示する。
【００４５】
アイコン表示部４６および記事表示部４７は、ユーザが操作部５４を操作して保存されている記事情報の閲覧を行う場合に、記事情報の一覧や、保存されている項目および削除されている項目を示すアイコンなどを表示部５６へ表示させる処理を行う。表示部５６は、液晶パネルや有機ＥＬ（OEL; Organic Electro Luminescence）ディスプレイなどを用いて構成されている。なお、タッチパネルを用いて表示部５６を構成し、表示部５６ならびに操作部５８の機能を兼ね備えていてもよい。
【００４６】
操作制御部４８は、操作部５８からの入力操作を信号に変換し、制御部４０の各部への入力指示を行う。操作部５８は、操作ボタンやキーボード、スイッチなどの入力インタフェースで構成され、ユーザの操作入力を操作制御部４８のへ入力する。通信制御部４９は、通信Ｉ／Ｆ５２を制御し、ネットワークなどを介して記事情報を受信し、制御部４０の各部を介して記憶部３０に保存させている。
【００４７】
情報配信サーバ６０は、記事送信部６１、優先度決定部６２、および記憶部６３を備えている。記事送信部６１は、記憶部６３から記事情報を読み出して情報管理装置１０に対して送信する処理を行う。なお、記事送信部６１は、新しい記事情報を発行日に配信する以外にも、過去に配信済の記事の内容を記事番号などの識別情報に基づいて記憶部６３から呼び出して、情報管理装置１０に対して再度送信する処理も行う。優先度決定部６２は、情報管理装置１０へ配信する個別の記事に含まれる各項目、例えば、タイトル、本文、画像などの内容について、それぞれ優先度を設定して記事と共に情報管理装置１０へ送信する。
【００４８】
図２は、電子情報からある項目を削除する際に行われる手順を示した概念図である。以下では、日時判定部４４を、経過時間算出部（削除時刻算出手段）５１および経過時間比較部（削除判断手段）５２を備えるものとして説明している。
【００４９】
図２では、記憶部３０には、「電子情報Ａ」「電子情報Ｂ」「電子情報Ｃ」が記憶されている。今、「電子情報Ａ」の「基準日時情報」（ここでは発行日時とする）を経過時間算出部５１が取得し、時計部５０から取得した現在時刻と比較することによって「電子情報Ａ」の発行日からの経過時間を算出する。
【００５０】
ここで、経過時間比較部５２は、算出された経過時間および記憶部３０に記憶されている所定の値（削除情報）を比較し、発行日から所定の期間を超過している電子情報の各項目を記事削除部４２が削除する。
【００５１】
なお、上記の例では、発行日から経過時間を算出し、所定の値を越えている場合に削除する構成としたが、これに限るものではない。絶対時間または相対時間で削除時刻を設定し、削除時刻を超過した項目を順に削除する構成であってもよい。
【００５２】
次に、図３から図５を参照して、本実施形態の情報管理装置１０で扱う記事に含まれる項目について説明を行う。なお、本実施形態では、電子情報として電子新聞の記事を例に説明を行うが、これに限るものではない。電子雑誌、電子日誌、電子ニュースや、その他の電子要約文などであってもよい。電子情報が一定の期間で周期的または不定期に発行され、発行日の情報が電子情報内もしくは外部情報として含まれていれば、どのような電子情報であってもよい。
【００５３】
図３は各記事が備えるデータ構造の一例を示す表、図４（ａ）〜（ｃ）は記事の各項目に設定された優先度の一例を示す表、図５は各記事情報の項目に対応付けられたアイコンの一例を示す表である。
【００５４】
図３に示すように、一つの記事（電子情報）は、大きく分けて（１）基本情報、（２）記事情報、（３）付加情報の３つに分類される項目が存在する。（１）基本情報には、記事番号（識別情報）、発行日、配信日、発行者、カテゴリ、記事構成情報、および有効期限の各項目が含まれる。（２）記事情報には、タイトル、要約、本文、および画像といった記事の内容を示す各項目が含まれる。（３）付加情報には、削除情報、既読／未読、削除記事ＵＲＬ、記事情報の削除優先度、およびアイコン情報などの項目が含まれる。
【００５５】
（１）基本情報および（３）付加情報は、各電子情報を管理するために用いる項目であり、その項目の内容は基本的に削除の対象とはならない。（２）記事情報は、記事の内容を示す実態データに対応する項目であり、記事情報の内容は、所定の優先度および発行日からの時間経過に基づいて削除される対象となる。
【００５６】
なお、以下では、基本情報は削除しないものとして説明を行うが、これに限らない。記事情報の全項目が削除された場合には基本情報および付加情報を削除する構成としてもよいし、各項目の情報が削除された後、一定の期間が経過した場合には基本情報および付加情報を削除する構成であってもよい。また、付加情報や記事情報などに付随していた削除情報やアイコンデータなどの関連データを削除する構成としてもよい。
【００５７】
図４（ａ）に示すように、付加情報の「記事削除の優先度（ここでは削除順位）」は、（２）記事情報の項目ごとに設定されている。この優先度は、記事ごとに設定されていてもよいし、記事全体で一つの優先度を設定してもよい。また、ユーザによって任意に再設定を行ってもよいし、配信の段階で記事の配信元が任意に優先度の設定を行ってもよい。
【００５８】
また、図４（ｂ）に示すように、各項目ごとに発行日から何ヶ月という相対時刻で削除順位を設定するものでもよいし、図４（ｃ）に示すように、何年何月何日の何時何分という絶対時刻で削除時刻を指定してもよい。どのような順序で項目を削除するか、または、その項目をいつ削除するのかを識別できればよい。
【００５９】
また、図５に示すように、（２）記事情報の各項目に対応付けられたアイコン情報が付加情報の「アイコン情報」として設定されている。このアイコン情報は、後述する記事一覧画面での表示に用いる。なお、アイコン情報は、（２）記事情報の項目の数に応じて必要な数のアイコンが設定されていれば、どのような図形でも、文字列や線分の組み合わせでよい。
【００６０】
図６は、情報管理装置１０で扱う記事情報の具体的な内容の一例を示す概略図であり、図７は、記事情報の削除された項目の表示の一例を示す概略図である。図８は、情報管理装置１０で扱う記事情報の各項目を、時間経過に伴ってどのような順番で削除していくかを示す概念図である。
【００６１】
図６から図８に示すように、電子新聞の記事情報には、タイトル１２、要約１４、本文１６、および画像１８が含まれている。なお、ここでは、レイアウト情報を含む文字データとして、タイトル１２、要約１４、および本文１６の説明を行うが、これに限るものではない。上記の各構成項目を画像データとして保存してもよいし、プレーンテキストのデータとして記事情報を配信するものであってもよい。
【００６２】
タイトル１２には、記事の内容を端的に示す見出し語が短い文章で記載されている。要約１４では、記事の内容を数段落のパラグラフで簡易に説明されている。本文１６では、詳細な記事の内容が記載されている。画像１８では、記事の内容に付随する画像が添付されている。なお、ここでは１つの記事に画像１８が１つだけ含まれる例を示しているが、複数であってもよい。
【００６３】
図６では、タイトル１２として「アイスナノチューブが・・・五角形が鍵を握る・・・○○大学が解明・・・」といった見出し文字が、要約１４として「カーボンナノチューブ内の・・・」という一段落の文章が、本文１６として「アイスナノチューブと呼ばれる・・・」という３段枠組みの文章が配置されている。また、画像１８として記事の内容に対応する挿絵が、文章の中に配置されている。
【００６４】
図８では、上述のタイトル１２、要約１４、本文１６、および画像１８のそれぞれの項目に優先度がつけられ、時間経過に沿って削除されていく様子を模式的に示している。ここでは、タイトルの重要度が高く、要約、本文、そして画像と重要度が下がるとして優先度を設定している。すなわち、時間経過と共に、まず、図面が削除され、次に本文、要約と削除されて、最後にタイトルの削除が行われる。タイトルは記事の識別に必須であるため、図４（ａ）のように、タイトルを標準で削除を行わない保護設定としてもよい。
【００６５】
なお、削除の順番は固定されている必要は無く、別の順番で削除してもよいし、ユーザや配信元が任意に設定してもよい。
【００６６】
次に、図９を参照して、情報管理装置１０において、実際に記事がどのように表示されるかを説明する。図９は、情報管理装置１０の表示部５６に表示される記事一覧画面の一例を示す模式図で、（ａ）は様々なニュース記事を個別に一覧表示した状態、（ｂ）は新聞の内容全体を一覧表示した状態、（ｃ）は新聞の内容を各紙面ごとに一覧表示した状態を示す図である。
【００６７】
図９（ａ）では、表示画面２０上に様々な記事の見出しが一覧表示されている。記事一覧を示すラベル２１の下方には、記事の発行日および見出しの表示領域２２が縦方向に重ねて並べ表示されている。各表示領域２２には、記事の見出しが並んでいる。例えば、上側から４列目の「２００７年９月１７日」の記事として、「○原  ＪＥに移籍へ」という見出しが表示され、その右側に「タイトル」が保存されていることを示すアイコン２６が表示されている。
【００６８】
また、上から５段目の「２００７年９月２０日」の記事として、「○社  新液晶テレビ発表」という見出しが表示され、その右側に「タイトル」が保存されていることを示すアイコン２６と「要約」が保存されていることを示すアイコン２７とが表示されている。また、一番下側の列には「２００７年１０月９日」の記事として、「○○  今シーズン復帰」という見出しが表示され、その右側に「タイトル」アイコン２６、「要約」アイコン２７、「本文」アイコン２８、および「図面」アイコン２９が並んで表示されている。
【００６９】
見出し表示領域２２の下方には、戻るボタン２３、閲覧ボタン２４、および保存情報ボタン２５が並んで配置されている。戻るボタン２３は、ユーザが記事の閲覧を中断して前の画面表示へ戻る場合に利用する。閲覧ボタン２４は、ユーザが現在アクティブになっている見出しに対応する電子情報の内容を閲覧する場合に利用する。保存情報ボタン２５は、ユーザが現在アクティブになっている見出しに対応する電子情報の、内容以外の様々なパラメータやプロパティの情報、例えば発行者や有効期限といった基本情報などを閲覧する場合に利用する。
【００７０】
図９（ｂ）および図９（ｃ）においても、図９（ａ）と同様に表示画面２０上に記事の一覧が表示されている。図９（ｂ）では、発行日および見出しの表示領域２２に新聞の誌名および号が表示されている。図９（ｂ）の例では、一つの見出しに対して、ある日に発行された新聞の記事全体が対応づけられている。図９（ｃ）では、発行日および見出しの表示領域２２に新聞の誌名および各面の分類が表示されている。図９（ｃ）の例では、一つの見出し対して、新聞の各面、例えば、経済面、国際面、社説面などといったカテゴリの面に対応付けられている。
【００７１】
なお、上述の表示方法に限らず、記事内容に対応する各見出しを表示し、記事の各項目に対応付けられたアイコンを表示できれば、どのような画面構成であってもよい。
【００７２】
次に、図１０から図１２を参照して、情報管理装置１０で行われる具体的な処理の内容について説明する。図１０は、記憶部に保存された各項目の内容を検索によって削除する処理の手順を示したフロー図である。図１１は、記憶部に保存された各項目の内容を、記事の発行日からの時間経過によって削除する処理の手順を示したフロー図である。図１２は、記憶部から削除された各項目の内容を、ネットワークを介してダウンロードする処理の手順を示したフロー図である。
【００７３】
まず、各項目の内容を検索によって削除する処理の手順について、図１０を参照して説明する。
【００７４】
削除処理が開始されるトリガーが発生すると、情報管理装置１０の制御部４０は、Ｓ１０１において、記憶部３０内の記事情報記憶部３２から削除対象となる図面情報を検索する。Ｓ１０２において、制御部４０の記事削除部４２は、Ｓ１０１で検索した結果、削除対象となった図面情報を記事情報記憶部３２からの削除する処理を行う。その後、Ｓ１０３において、制御部４０の付加情報編集部４３は、Ｓ１０２で削除した項目に対応する削除情報などの保存情報を記憶部３０の付加情報記憶部３３に更新する。
【００７５】
Ｓ１０４において、情報管理装置１０の制御部４０は、記憶部３０内の記事情報記憶部３２から削除対象となる本文情報を検索する。Ｓ１０５において、制御部４０の記事削除部４２は、Ｓ１０４で検索した結果、削除対象となった本文情報を記事情報記憶部３２からの削除する処理を行う。その後、Ｓ１０６において、制御部４０の付加情報編集部４３は、Ｓ１０５で削除した記事に対応する削除情報などの保存情報を記憶部３０の付加情報記憶部３３に更新する。
【００７６】
Ｓ１０７において、情報管理装置１０の制御部４０は、記憶部３０内の記事情報記憶部３２から削除対象となる要約情報を検索する。Ｓ１０８において、制御部４０の記事削除部４２は、Ｓ１０７で検索した結果、削除対象となった要約情報を記事情報記憶部３２からの削除する処理を行う。その後、Ｓ１０９において、制御部４０の付加情報編集部４３は、Ｓ１０８で削除した項目の削除情報などの、必要な保存情報を記憶部３０の付加情報記憶部３３に更新する。
【００７７】
Ｓ１１０において、情報管理装置１０の制御部４０は、記憶部３０内の記事情報記憶部３２から削除対象となるタイトル情報を検索する。Ｓ１１１において、制御部４０の記事削除部４２は、Ｓ１１０で検索した結果、削除対象となったタイトル情報を記事情報記憶部３２からの削除する処理を行う。その後、Ｓ１１２において、制御部４０の付加情報編集部４３は、Ｓ１１１で削除した記事に対応する削除情報などの保存情報を記憶部３０の付加情報記憶部３３に更新し、処理を終了する。
【００７８】
次に、保存された電子情報の各項目を、電子情報の発行日からの時間経過によって削除する処理の手順について、図１１を参照して説明する。
【００７９】
削除処理のトリガーとして、現在時刻が所定の時刻になったとき、情報管理装置１０の制御部４０は、削除処理を開始する。Ｓ２０１において、日時判定部４４は、時計部５０から現在時刻を取得し、記憶部３０の基本情報記憶部３１に保存されている発行日または有効期限の情報を現在時刻と比較して、削除の対象となる所定の時刻を経過したか否かを判断する。所定の時刻を経過していた場合（Ｓ２０１でＹＥＳ）、処理はＳ２０２へ進む。所定の時刻に達していなかった場合（Ｓ２０１でＮＯ）、処理はＳ２０１へ戻る。
【００８０】
Ｓ２０２において、情報管理装置１０の制御部４０は、記憶部３０内の記事情報記憶部３２から削除対象となる内容（図面情報）を検索する。検索の結果、削除対象の候補が存在した場合（Ｓ２０３でＹＥＳ）、処理はＳ２０４へ進む。削除対象の候補が存在しない場合（Ｓ２０３でＮＯ）、処理はＳ２０７へ進む。なお、検索結果の見出しや記事内容を一覧にして表示部５６に表示させることで、ユーザに検索結果を提示してもよい。
【００８１】
Ｓ２０４において、制御部４０は、ユーザに対して検索した削除対象の図面の候補を表示し、削除してもよいか確認を行う。ユーザが操作部５４を用いて削除ＯＫの指示を入力した場合（Ｓ２０４でＹＥＳ）、処理はＳ２０５へ進む。削除ＯＫの指示以外を入力した場合（Ｓ２０４でＮＯ）、処理はＳ２０６へ進む。
【００８２】
Ｓ２０５において、制御部４０の記事削除部４２は、Ｓ２０２で検索した結果、削除対象となった内容（図面情報）を記事情報記憶部３２からの削除する処理を行う。その後、Ｓ２０６において、制御部４０の付加情報編集部４３は、Ｓ２０５で削除した内容に対応する削除情報や、削除候補として検索された結果などの保存情報を記憶部３０の付加情報記憶部３３に更新する。
【００８３】
Ｓ２０７において、情報管理装置１０の制御部４０は、記憶部３０内の記事情報記憶部３２から削除対象となる内容（本文情報）を検索する。検索の結果、削除対象の候補が存在した場合（Ｓ２０８でＹＥＳ）、処理はＳ２０９へ進む。削除対象の候補が存在しない場合（Ｓ２０８でＮＯ）、処理はＳ２１２へ進む。
【００８４】
Ｓ２０９において、制御部４０は、ユーザに対して検索した削除対象の内容（本文情報）の候補を表示し、削除してもよいか確認を行う。ユーザが操作部５４を用いて削除ＯＫの指示を入力した場合（Ｓ２０９でＹＥＳ）、処理はＳ２１０へ進む。削除ＯＫの指示以外を入力した場合（Ｓ２０９でＮＯ）、処理はＳ２１１へ進む。
【００８５】
Ｓ２１０において、制御部４０の記事削除部４２は、Ｓ２０８で検索した結果、削除対象となった本文情報を記事情報記憶部３２からの削除する処理を行う。その後、Ｓ２１１において、制御部４０の付加情報編集部４３は、Ｓ２１０で削除した記事に対応する削除情報や、削除候補として検索された結果などの保存情報を記憶部３０の付加情報記憶部３３に更新する。
【００８６】
Ｓ２１２において、情報管理装置１０の制御部４０は、記憶部３０内の記事情報記憶部３２から削除対象となる内容（要約情報）を検索する。検索の結果、削除対象の候補が存在した場合（Ｓ２１３でＹＥＳ）、処理はＳ２１４へ進む。削除対象の候補が存在しない場合（Ｓ２１３でＮＯ）、処理はＳ２１７へ進む。
【００８７】
Ｓ２１４において、制御部４０は、ユーザに対して検索した削除対象の内容（要約情報）の候補を表示し、削除してもよいか確認を行う。ユーザが操作部５４を用いて削除ＯＫの指示を入力した場合（Ｓ２１４でＹＥＳ）、処理はＳ２１５へ進む。削除ＯＫの指示以外を入力した場合（Ｓ２１４でＮＯ）、処理はＳ２１６へ進む。
【００８８】
Ｓ２１５において、制御部４０の記事削除部４２は、Ｓ２１２で検索した結果、削除対象となった内容（要約情報）を記事情報記憶部３２からの削除する処理を行う。その後、Ｓ２１６において、制御部４０の付加情報編集部４３は、Ｓ２１５で削除した記事に対応する削除情報や、削除候補として検索された結果などの保存情報を記憶部３０の付加情報記憶部３３に更新する。
【００８９】
Ｓ２１７において、情報管理装置１０の制御部４０は、記憶部３０内の記事情報記憶部３２から削除対象となる内容（タイトル情報）を検索する。検索の結果、削除対象の候補が存在した場合（Ｓ２１８でＹＥＳ）、処理はＳ２１９へ進む。削除対象の候補が存在しない場合（Ｓ２１８でＮＯ）、処理はＳ２２１へ進む。
【００９０】
Ｓ２１９において、制御部４０は、表示部５６に検索した削除対象の内容（タイトル情報）の候補を表示し、削除してもよいか確認を行う。ユーザが操作部５４を用いて削除ＯＫの指示を入力した場合（Ｓ２１９でＹＥＳ）、処理はＳ２２０へ進む。削除ＯＫの指示以外を入力した場合（Ｓ２１９でＮＯ）、処理はＳ２２１へ進む。
【００９１】
Ｓ２２０において、制御部４０の記事削除部４２は、Ｓ２１８で検索した結果、削除対象となったタイトル情報を記事情報記憶部３２からの削除する処理を行う。その後、Ｓ２２１において、制御部４０の付加情報編集部４３は、Ｓ２２０で削除した記事に対応する削除情報や、削除候補として検索された結果などの保存情報を記憶部３０の付加情報記憶部３３に更新し、処理を終了する。
【００９２】
次に、記憶部３０から削除された各項目の内容を、ネットワークを介してダウンロードする処理の手順を、図１２を用いて説明する。
【００９３】
処理が開始されると、まず、Ｓ３０１において、制御部４０の記事表示部４７は、記事の見出しの一覧を表示部５６に表示させる。ユーザは、表示された見出しの一覧（図９（ａ）〜（ｃ）参照）を参考にして、操作部５４を用いて見出しから記事を選択する（Ｓ３０２）。選択された電子情報の本文情報が記憶部３０の記事情報記憶部３２に保存されている場合（Ｓ３０３でＹＥＳ）、処理はＳ３０６へ進む。保存されていない場合（Ｓ３０６でＮＯ）、処理はＳ３０４へ進む。
【００９４】
Ｓ３０４において、制御部４０は、表示部５６に案内メッセージを表示し、ユーザに対して本文情報のダウンロードを行うか否か確認する。なお、この際、画面にダウンロードするか否かをユーザに選択させる選択画面を表示してもよい。ユーザがダウンロードすることを希望する入力操作を行った場合（Ｓ３０４でＹＥＳ）、処理はＳ３０５へ進む。ダウンロードすることを希望する入力操作を行わなかった場合（Ｓ３０４でＮＯ）、処理はＳ３０１に戻り、記事の見出し一覧の表示へ戻る。
【００９５】
Ｓ３０５において、制御部４０の通信制御部４９は、通信Ｉ／Ｆ５２を介してネットワークへ接続し、ユーザによって指定された記事の本文情報を識別情報に基づいてダウンロードする処理を行う。その後、Ｓ３０６において、記事表示部４７はダウンロードした本文情報の詳細な内容を、表示部５６に表示させる。なお、記事表示部４７は、ダウンロードが完了した場合、すぐに本文情報の詳細な内容を画面に表示してもよいし、記録部３０に必要な情報を記録しておいて、ダウンロードが完了したことだけを表示してもよい。
【００９６】
Ｓ３０７において、内容の表示が終了した場合に、現在表示していた内容情報を廃棄するか否か、ユーザに確認を求める。ユーザが記事の廃棄を希望した場合（Ｓ３０７でＹＥＳ）、記録制御部４１は記事本文の情報を廃棄して、処理はＳ３０１へ戻る。ユーザが記事の廃棄を希望しなかった場合（Ｓ３０７でＮＯ）、記録制御部４１は、記憶部３０の記事情報記憶部３２にダウンロードした本文情報を記録する（Ｓ３０８）。その後、処理はＳ３０１へ戻って、記事の見出し一覧表示を繰り返す。
【００９７】
以上のように、本実施形態の情報管理装置１０は、複数の項目と、項目の内容を段階的に削除する期限を項目ごとに決定するための情報である削除情報とを含む電子情報を記憶する記憶部３０と、現在の時刻を示す現在時刻情報を取得する時計部５０と、上記項目の削除情報から、当該項目を削除する削除時刻を算出する削除時刻算出部５１と、上記削除時刻と上記現在時刻とを比較して、当該項目の削除時刻を経過しているか否かを判断する経過時間比較部５２と、経過時間比較部５２の判断結果に基づいて、上記削除時刻の順に項目を削除する記事削除部４２とを備えることを特徴としている。
【００９８】
上記の構成によれば、電子情報に設定された設定時刻情報と、現在時刻情報とを比較することで当該電子情報の時間経過を考慮し、複数の項目からいずれかの項目の内容を所定の優先度情報に基づいて削除することができるので、古くなり重要度の低くなった内容を削除して容量を確保しつつ、削除されておらず、保存されている内容を必要に応じて参照することができる。
【００９９】
上記の情報管理装置１０では、上記削除情報は、当該削除情報が示す項目を削除する時刻を示す削除時刻情報である。
【０１００】
上記の構成によれば、絶対時刻または相対時刻を用いて項目を削除する時刻を設定することができるので、所望の時刻に項目を順に削除してゆくように電子情報を設定することができる。
【０１０１】
上記の情報管理装置１０では、上記削除情報は、当該削除情報が含まれる項目を削除する順番を示す削除順序情報であり、削除時刻算出部５１は、上記削除順序情報と各項目を削除する間隔を示す時間情報である削除間隔情報とに基づいて削除時刻を算出している。
【０１０２】
上記の構成によれば、各項目に削除時刻を設定することなく、所定の順序および期間で項目を順に削除してゆくように電子情報を設定することができる。
【０１０３】
上記の情報管理装置１０では、上記記事削除部４２は、所定のタイミングで上記経過時間の算出および項目の内容の削除を実行している。
【０１０４】
上記の構成によれば、時間の経過によって重要度が低くなった記事の項目の一部を削除しても、残されている識別情報に基づいて削除された電子記事を特定し、削除した項目の内容情報を外部から再度取得し、参照することができる。
【０１０５】
情報管理装置１０では、上記電子情報は、個々の電子情報を識別するための記事番号を含んでいる。
【０１０６】
また、情報管理装置１０は、外部から電子情報を受信する通信制御部４９を備え、削除された項目の内容を、記事番号を送信することで外部から受信している。
【０１０７】
上記の構成によれば、時間の経過によって重要度が低くなった記事の項目の一部を削除しても、残されている識別情報に基づいて削除された電子記事を特定し、削除した項目の内容情報を外部から再度取得し、参照している。
【０１０８】
上記の情報管理装置１０では、項目の内容を表示する表示部５６を備え、項目の内容が削除されているか否かを項目ごとに示す削除情報を、識別情報と共に表示している。
【０１０９】
また、上記の情報管理装置１０では、項目の内容表示する表示部５６を備え、上記項目の内容が削除されているか否かを項目ごとに示す削除情報を、削除されていない項目の内容と共に表示している。
【０１１０】
また、削除情報としてアイコンを用いている。
【０１１１】
上記の構成によれば、電子情報の一覧と共に内容情報の有無を表示部５６に表示することでユーザに提示するので、ユーザは内容情報の保存状態を把握することができる。アイコンで内容情報の保存状態を提示すれば、さらに分かり易く、ユーザは一目で内容の保存状態を把握することができる。
【０１１２】
本実施形態の情報配信サーバ６０は、情報管理装置１０に対して、電子情報を送信する情報配信サーバ１０であって、電子情報を記憶する記憶部６３と、上記電子情報を情報管理装置１０に対して送信する記事送信部６１を備え、情報管理装置１０から送信された記事番号に対応する電子情報を情報管理装置１０へ送信している。
【０１１３】
また、電子情報には、設定時刻情報が設定されている。
【０１１４】
また、電子情報に含まれる各項目に対する優先度情報を電子情報に設定する優先度設定部６２を備えている。
【０１１５】
上記の構成によれば、識別情報に基づいて、上述の情報管理装置１０に対して外部から電子情報を配信することができる。また、時刻情報や優先度情報を設定した電子情報を配信することで、記事の削除を配信側で設定した情報に基づいて行わせることができる。
【０１１６】
また、本実施形態では、上記の情報管理装置１０と、上記の情報配信サーバ６０とを備えることによって、情報配信システム１を構成している。
【０１１７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１８】
最後に、情報管理装置１０の各ブロック、特に制御部４０の記事削除部４２および日時判定部４４は、ハードウェアロジックによって構成してもよいし、次のようにＣＰＵを用いてソフトウェアによって実現してもよい。
【０１１９】
すなわち、情報管理装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである情報管理装置１０の制御プログラムのプログラムコード（実行形式プログラム、中間コードプログラム、ソースプログラム）をコンピュータで読み取り可能に記録した記録媒体を、上記情報管理装置１０に供給し、そのコンピュータ（またはＣＰＵやＭＰＵ）が記録媒体に記録されているプログラムコードを読み出し実行することによっても、達成可能である。
【０１２０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２１】
また、情報管理装置１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２２】
本発明によれば、重要度の低い情報を削除して容量を確保しつつ、必要に応じて情報を参照することが可能なバランスの良い情報管理装置を実現することができるので、情報閲覧用の端末や、情報配信システムなどに好適に適用できる。
【図面の簡単な説明】
【０１２３】
【図１】本発明の一実施形態を示すものであり、情報配信システムの要部構成を示す機能ブロック図である。
【図２】現在時刻および電子情報に設定された日時情報を参照して記事を削除する手順を示す概念図である。
【図３】本実施形態の情報管理装置１０で用いる記事情報のデータ構造の表を示す図である。
【図４】（ａ）〜（ｃ）は電子情報の各項目に設定された優先度の一例を示す表である。
【図５】電子情報の各項目に対応付けられたアイコンの一例を示す表である。
【図６】情報管理装置で扱う電子情報の具体的な内容の一例を示す概略図である。
【図７】上記電子情報で削除された項目の表示方法の一例を示す概略図である。
【図８】情報管理装置で扱う電子情報の各項目を、時間経過に伴ってどのような順番で削除していくかを示す概念図である。
【図９】情報管理装置の表示部に表示される記事一覧画面の一例を示す模式図で、（ａ）は様々なニュース記事を個別に一覧表示した状態、（ｂ）は新聞の内容全体を一覧表示した状態、（ｃ）は新聞の内容を各紙面ごとに一覧表示した状態を表す図である。
【図１０】記憶部に保存された記事の各項目を検索によって削除する処理の手順を示したフロー図である。
【図１１】記憶部に保存された記事の各項目を、記事の発行日からの時間経過によって削除する処理の手順を示したフロー図である。
【図１２】記憶部から削除された電子情報の各項目を、ネットワークを介してダウンロードする処理の手順を示したフロー図である。
【符号の説明】
【０１２４】
１      情報配信システム
１０    情報管理装置
１２    タイトル（内容情報）
１４    要約（内容情報）
１６    本文（内容情報）
１８    画像（内容情報）
２０    表示画面
２２    表示領域
２３    戻るボタン
２４    閲覧ボタン
２５    保存情報ボタン
２６    タイトルアイコン（保存情報、アイコン）
２７    要約アイコン（保存情報、アイコン）
２８    本文アイコン（保存情報、アイコン）
２９    図面アイコン（保存情報、アイコン）
３０    記憶部
３１    基本情報記憶部
３２    記事情報記憶部
３３    付加情報記憶部
３４    優先度情報記憶部
３５    アイコン情報記憶部
４０    制御部
４１    記録制御部
４２    記事削除部（削除手段）
４３    付加情報編集部
４４    日時判定部（削除時刻算出手段、削除判断手段）
４５    優先度判定部
４６    アイコン表示部（保存情報表示手段）
４７    記事表示部
４８    操作制御部
４９    通信制御部
５０    時計部（現在時刻取得手段）
５２    通信Ｉ／Ｆ
５４    操作部
５６    表示部
６０    情報配信サーバ
６１    記事送信部（送信手段）
６２    優先度決定部（優先度決定手段）
６３    記憶部
【図１】
2009025978.tif 000003
【図２】
2009025978.tif 000004
【図３】
2009025978.tif 000005
【図４】
2009025978.tif 000006
【図５】
2009025978.tif 000007
【図７】
2009025978.tif 000008
【図８】
2009025978.tif 000009
【図９】
2009025978.tif 000010
【図１０】
2009025978.tif 000011
【図１１】
2009025978.tif 000012
【図１２】
2009025978.tif 000013
【図６】
2009025978.tif 000014